【手続補正書】
【提出日】平成19年5月17日(2007.5.17)
【手続補正１】
【補正対象書類名】特許請求の範囲
【補正対象項目名】全文
【補正方法】変更
【補正の内容】
【特許請求の範囲】
【請求項１】
緊密な混合物で、下記の吸収性の成分１および２、ならびに、下記の任意の成分３、４、５、６および７の何も含まないか、１個またはそれ以上のいずれかを含む身体吸収性の、機械的止血性パテ組成物：
成分１. カルボン酸アニオンと金属カチオンを含む、吸収性の、微粉末、カルボン酸塩を、下記との緊密な混合物として
成分２. 下記成分２グループａ)からｇ)から成る群から選択されるメンバーを含む、吸収性の組成物：
グループａ)ｉ)１個またはそれ以上の、Ｃ８−Ｃ１８１価アルコールとＣ２−Ｃ６脂肪族モノカルボン酸の吸収性のエステルまたは、
ii)１個またはそれ以上の、Ｃ２−Ｃ１８１価アルコールとポリカルボン酸の吸収性のエステル、
iii)またはｉ)とii)の混合物、
グループｂ)８個から約３０個の炭素原子を有する吸収性の１価アルコール、
グループｃ)約１０から約１４個の炭素原子を有する吸収性の炭化水素、
グループｄ)吸収性の遊離、液体、飽和または不飽和カルボン酸、
グループｅ)１)吸収性のジアルキルエーテル、アルキルアリールエーテル、またはクラウンエーテル(各々約８０℃より高い沸点を有する)、２)またはエチレンオキシドおよびプロピレンオキシドのブロックコポリマー、
グループｆ)約８０℃より高い沸点を有する吸収性のジアルキルケトン、
グループｇ)ポリヒドロキシ化合物、ポリヒドロキシ化合物エステル、およびポリヒドロキシ化合物エーテルから成る群から選択されるメンバーを含む吸収性の組成物、
および成分２が室温で固体形のとき、成分２のための任意の吸収性の、生体適合性液化剤、
成分３. 任意の脱塩骨基質(ＤＢＭ)、
成分４. 任意の吸収性の抗感染剤、
成分５. 任意の吸収性の吸収促進剤、
成分６. 任意の吸収性の着色剤、
成分７. 任意の量の水(ここで、成分１および２、および存在し得る全ての任意の成分の量は、環境温度で機械的止血性、パテ様粘稠度を形成するのに十分である)。
【請求項２】
さらにＤＢＭ(成分３)および抗感染剤(成分４)の一方または両方を含む(該ＤＢＭは、骨生長誘発有効量かつ粒子サイズであり、該抗感染剤は薬学的有効量である)、請求項１記載の組成物。
【請求項３】
該ＤＢＭを含む、請求項２記載の組成物。
【請求項４】
該組成物が無菌である、請求項１記載の組成物。
【請求項５】
成分１および成分２に加えて、吸収促進剤(成分５)および着色剤(成分６)の一方または両方を含む、請求項２記載の組成物。
【請求項６】
成分１のカルボン酸アニオンが約６個から２２個の炭素原子を含む飽和または不飽和カルボン酸から選択される、請求項１記載の組成物。
【請求項７】
成分１のカルボン酸塩カチオンが、カルシウム、マグネシウム、亜鉛、アルミニウム、リチウム、またはバリウムまたはそれらの混合物である、請求項６記載の組成物。
【請求項８】
成分１のカルボン酸アニオンが、カプリル酸、カプリン酸、ラウリン酸、ミリスチン酸、パルミチン酸、ステアリン酸、アラキジン酸およびそれらの中断同族体から選択される脂肪族酸である、請求項７記載の組成物。
【請求項９】
成分１のカルボン酸アニオンがステアリン酸である、請求項８記載の組成物。
【請求項１０】
成分１のカルボン酸アニオンがパルミチン酸である、請求項８記載の組成物。
【請求項１１】
成分１のカルボン酸塩カチオンがカルシウムである、請求項９記載の組成物。
【請求項１２】
成分１のカルボン酸塩カチオンがアルミニウムである、請求項１０記載の組成物。
【請求項１３】
成分２、グループａｉとして、Ｃ８−Ｃ１８１価アルコールとＣ２−Ｃ６脂肪族モノカルボン酸の吸収性のエステルを含む、請求項１記載の組成物。
【請求項１４】
成分２、グループａｉのＣ８−Ｃ１８１価アルコールがオクタノール、デカノール、ラウリルアルコール、またはミリスチルアルコール、またはそれらの中断同族体を含む、請求項１３記載の組成物。
【請求項１５】
成分２、グループａｉのＣ８−Ｃ１８１価アルコールがラウリルアルコールを含む、請求項１４記載の組成物。
【請求項１６】
成分２、グループａｉのＣ２−Ｃ６脂肪族モノカルボン酸が酢酸、プロピオン酸、酪酸、吉草酸またはカプロン酸を含む、請求項１３記載の組成物。
【請求項１７】
成分２、グループａiiとして、Ｃ２−Ｃ１８１価アルコールとポリカルボン酸の吸収性のエステルを含む、請求項１記載の組成物。
【請求項１８】
成分２、グループａiiの１価アルコールがエタノール、プロパノール、ブタノール、ヘキサノール、オクタノール、デカノール、ラウリルアルコール、またはミリスチルアルコール、またはそれらの中断同族体を含む、請求項１７記載の組成物。
【請求項１９】
ポリカルボン酸がマロン酸、コハク酸、グルタル酸、アジピン酸、ピメリン酸、スベリン酸、アゼライン酸、セバシン酸、マレイン酸、フマル酸、グルタコン酸、クエン酸、リンゴ酸、アセチルクエン酸またはアセチルリンゴ酸を含む、請求項１８記載の組成物。
【請求項２０】
成分２、グループａiiのポリカルボン酸がコハク酸を含む、請求項１９記載の組成物。
【請求項２１】
成分２、グループａiiのポリカルボン酸がクエン酸を含む、請求項１９記載の組成物。
【請求項２２】
成分２、グループａiiのポリカルボン酸がアセチルクエン酸を含む、請求項１９記載の組成物。
【請求項２３】
成分２、グループａiiのエステルがコハク酸ジエチルを含む、請求項１９記載の組成物。
【請求項２４】
成分２、グループａiiのエステルがコハク酸ジオクチルを含む、請求項１９記載の組成物。
【請求項２５】
成分２、グループａiiのエステルがクエン酸トリエチルを含む、請求項１９記載の組成物。
【請求項２６】
成分２、グループａiiのエステルがクエン酸アセチルトリブチルを含む、請求項１９記載の組成物。
【請求項２７】
成分２、グループａiiのエステルがアセチルクエン酸トリエチルを含む、請求項１９記載の組成物。
【請求項２８】
成分２、グループａiiのエステルがリンゴ酸ジエチルを含む、請求項１９記載の組成物。
【請求項２９】
成分２、グループａiiのエステルがアセチルリンゴ酸ジエチルを含む、請求項１９記載の組成物。
【請求項３０】
成分２、グループａiiのエステルがコハク酸ジオクチルを含む、請求項１９記載の組成物。
【請求項３１】
成分２、グループａiiのエステルがクエン酸トリブチルを含む、請求項１９記載の組成物。
【請求項３２】
成分２、グループｂとして、少なくとも１個の８−１２個の炭素原子を有する吸収性の１価アルコールを含む、請求項１記載の組成物。
【請求項３３】
成分２、グループｂの吸収性の１価アルコールがオクタノール、デカノールまたはドデカノールの１個またはそれ以上を含む、請求項３２記載の組成物。
【請求項３４】
成分２、グループｃとして、１０−１４個の炭素原子を有する吸収性の炭化水素を含む、請求項１記載の組成物。
【請求項３５】
成分２、グループｃがデカンまたはドデカンを含む、請求項３４記載の組成物。
【請求項３６】
成分２、グループｄとして、吸収性の遊離、飽和または不飽和カルボン酸を含む、請求項１記載の組成物。
【請求項３７】
成分２、グループｄがオレイン酸、リノール酸、カプリル酸、カプリン酸、またはラウリン酸を含む、請求項３６記載の組成物。
【請求項３８】
成分２、グループｅとして、吸収性のジアルキルエーテル、アルキルアリールエーテルまたはクラウンエーテル(各々約８０℃より高い沸点を有する)、またはエチレンオキシドとプロピレンオキシドのブロックコポリマーを含む、請求項１記載の組成物。
【請求項３９】
該エーテルが対称性ジアルキルエーテルである、請求項３８記載の組成物。
【請求項４０】
該エーテルがジ−ｎ−ブチルエーテルまたはジ−ｎ−ヘキシルエーテルである、請求項３９記載の組成物。
【請求項４１】
該成分２がエチレンオキシドとプロピレンオキシドのブロックコポリマーである、請求項３８記載の組成物。
【請求項４２】
成分２、グループｆとして、吸収性のジアルキルケトンまたはアルキルアリールケトン(各々約８０℃より高い沸点を有する)を含む、請求項１記載の組成物。
【請求項４３】
該ケトンがエチルオクチルケトンまたはジ−ヘキシルケトンである、請求項４２記載の組成物。
【請求項４４】
成分２、グループｇとして、ポリヒドロキシ化合物、ポリヒドロキシ化合物エステル、およびポリヒドロキシ化合物エーテルから成る群のメンバーを含む吸収性の組成物を含む、請求項１記載の組成物。
【請求項４５】
成分２、グループｇがグリセロール、グリセリルモノエステル、グリセリルジエステル、グリセリルトリエステル、グリセリルモノエーテル、グリセリルジエーテル、またはグリセリルトリエーテルを含む、請求項４４記載の組成物。
【請求項４６】
成分２、グループｇがモノラウリン酸グリセリルを含む、請求項４５記載の組成物。
【請求項４７】
成分２、グループｇがジエチレングリコール、トリエチレングリコール、１,２−プロパンジオール、トリメチルオールエタン、トリメチルオールプロパン、エリスリトール、ペンタエリスリトール、またはポリエチレングリコールを含む、請求項４４記載の組成物。
【請求項４８】
成分５が、吸収性の可溶性または不溶性、天然または合成ポリペプチド、不溶性繊維状コラーゲン、可溶性トロポコラーゲン、ゼラチン、レシチン、ベタイン、オクチルフェニルエトキシレート、ポリビニルピロリドン、吸収性の五酸化リン製ガラスまたはエチレンオキシドとプロピレンオキシドのブロックコポリマーを含む、請求項５記載の組成物。
【請求項４９】
成分１および成分２に加えて、ＤＢＭ(成分３)および抗感染剤(成分４)の一方または両方を含む(該ＤＢＭは、骨生長誘発量であり、該抗感染剤は薬学的有効量である)、請求項１３記載の組成物。
【請求項５０】
該ＤＢＭを含む、請求項４９記載の組成物。
【請求項５１】
該抗感染剤を含む、請求項４９記載の組成物。
【請求項５２】
成分１および成分２に加えて、吸収促進剤(成分５)、および着色剤(成分６)の一方または両方を含む、請求項４９記載の組成物。
【請求項５３】
成分５が、存在するとき、吸収性の可溶性または不溶性、天然または合成ポリペプチド、不溶性繊維状コラーゲン、可溶性トロポコラーゲン、ゼラチン、レシチン、ベタイン、オクチルフェニルエトキシレート、ポリビニルピロリドン、吸収性の五酸化リン製ガラスまたはエチレンオキシドとプロピレンオキシドのブロックコポリマーを含む、請求項５２記載の組成物。
【請求項５４】
成分１および成分２に加えて、ＤＢＭ(成分３)および抗感染剤(成分４)の一方または両方を含む(該ＤＢＭは、骨生長誘発有効量であり、該抗感染剤は薬学的有効量である)、請求項１３記載の組成物。
【請求項５５】
該ＤＢＭを含む、請求項５４記載の組成物。
【請求項５６】
該抗感染剤を含む、請求項５４記載の組成物。
【請求項５７】
成分１および成分２に加えて、ＤＢＭ(成分３)および抗感染剤(成分４)の一方または両方を含む(該ＤＢＭは、骨生長誘発有効量であり、該抗感染剤は薬学的有効量である)、請求項３２記載の組成物。
【請求項５８】
該ＤＢＭを含む、請求項５７記載の組成物。
【請求項５９】
該抗感染剤を含む、請求項５７記載の組成物。
【請求項６０】
成分５が、存在するとき、吸収性の可溶性または不溶性、天然または合成ポリペプチド、不溶性繊維状コラーゲン、可溶性トロポコラーゲン、ゼラチン、レシチン、ベタイン、オクチルフェニルエトキシレート、ポリビニルピロリドン、吸収性の五酸化リン製ガラスまたはエチレンオキシドとプロピレンオキシドのブロックコポリマーを含む、請求項５７記載の組成物。
【請求項６１】
成分１および成分２に加えて、ＤＢＭ(成分３)および抗感染剤(成分４)の一方または両方を含む(該ＤＢＭは、骨生長誘発有効量であり、該抗感染剤は薬学的有効量である)、請求項３４記載の組成物。
【請求項６２】
該ＤＢＭを含む、請求項６１記載の組成物。
【請求項６３】
該抗感染剤を含む、請求項６１記載の組成物。
【請求項６４】
成分５が、存在するとき、吸収性の可溶性または不溶性、天然または合成ポリペプチド、不溶性繊維状コラーゲン、可溶性トロポコラーゲン、ゼラチン、レシチン、ベタイン、オクチルフェニルエトキシレート、ポリビニルピロリドン、吸収性の五酸化リン製ガラスまたはエチレンオキシドとプロピレンオキシドのブロックコポリマーを含む、請求項６１記載の組成物。
【請求項６５】
成分１および成分２に加えて、ＤＢＭ(成分３)および抗感染剤(成分４)の一方または両方を含む(該ＤＢＭは、骨生長誘発有効量であり、該抗感染剤は薬学的有効量である)、請求項３６記載の組成物。
【請求項６６】
該ＤＢＭを含む、請求項６５記載の組成物。
【請求項６７】
該抗感染剤を含む、請求項６５記載の組成物。
【請求項６８】
成分５が、存在するとき、吸収性の可溶性または不溶性、天然または合成ポリペプチド、不溶性繊維状コラーゲン、可溶性トロポコラーゲン、ゼラチン、レシチン、ベタイン、オクチルフェニルエトキシレート、ポリビニルピロリドン、吸収性の五酸化リン製ガラスまたはエチレンオキシドとプロピレンオキシドのブロックコポリマーを含む、請求項６５記載の組成物。
【請求項６９】
成分１および成分２に加えて、ＤＢＭ(成分３)および抗感染剤(成分４)の一方または両方を含む(該ＤＢＭは、骨生長誘発有効量であり、該抗感染剤は薬学的有効量である)、請求項３８記載の組成物。
【請求項７０】
該ＤＢＭを含む、請求項６９記載の組成物。
【請求項７１】
該抗感染剤を含む、請求項６９記載の組成物。
【請求項７２】
成分５が、存在するとき、ゼラチン、吸収性の可溶性または不溶性、天然または合成ポリペプチド、不溶性繊維状コラーゲン、可溶性トロポコラーゲン、ゼラチン、レシチン、ベタイン、オクチルフェニルエトキシレート、ポリビニルピロリドン、吸収性の五酸化リン製ガラスまたはエチレンオキシドとプロピレンオキシドのブロックコポリマーを含む、請求項６９記載の組成物。
【請求項７３】
成分１および成分２に加えて、ＤＢＭ(成分３)および抗感染剤(成分４)の一方または両方を含む(該ＤＢＭは、骨生長誘発有効量であり、該抗感染剤は薬学的有効量である)、請求項４２記載の組成物。
【請求項７４】
該ＤＢＭを含む、請求項７３記載の組成物。
【請求項７５】
該抗感染剤を含む、請求項７３記載の組成物。
【請求項７６】
成分５が、存在するとき、吸収性の可溶性または不溶性、天然または合成ポリペプチド、不溶性繊維状コラーゲン、可溶性トロポコラーゲン、ゼラチン、レシチン、ベタイン、オクチルフェニルエトキシレート、ポリビニルピロリドン、吸収性の五酸化リン製ガラスまたはエチレンオキシドとプロピレンオキシドのブロックコポリマーを含む、請求項７３記載の組成物。
【請求項７７】
成分１および成分２に加えて、ＤＢＭ(成分３)および抗感染剤(成分４)の一方または両方を含む(該ＤＢＭは、骨生長誘発有効量であり、該抗感染剤は薬学的有効量である)、請求項４４記載の組成物。
【請求項７８】
該ＤＢＭを含む、請求項７７記載の組成物。
【請求項７９】
該抗感染剤を含む、請求項７７記載の組成物。
【請求項８０】
成分５が、存在するとき、吸収性の可溶性または不溶性、天然または合成ポリペプチド、不溶性繊維状コラーゲン、可溶性トロポコラーゲン、ゼラチン、レシチン、ベタイン、オクチルフェニルエトキシレート、ポリビニルピロリドン、吸収性の五酸化リン製ガラスまたはエチレンオキシドとプロピレンオキシドのブロックコポリマーを含む、請求項７７記載の組成物。
【請求項８１】
成分１がステアリン酸カルシウムを含み、成分２がクエン酸トリエチル、アセチルクエン酸トリエチル、オクタノール、コハク酸ジエチル、ジ−ｎ−ブチルエーテルまたはジ−ｎ−ペンチルケトンを含み、そして該成分３が脱塩骨基質を含む、請求項３記載の組成物。
【請求項８２】
該抗感染剤をさらに含む、請求項８１記載の組成物。
【請求項８３】
任意の成分５が存在し、かつゼラチンを含む、請求項８２記載の組成物。
【請求項８４】
該組成物が無菌である、請求項８２記載の組成物。
【請求項８５】
該組成物が無菌である、請求項１記載の組成物。
【請求項８６】
該組成物が無菌である、請求項２記載の組成物。
【請求項８７】
吸収性の着色剤が存在する、請求項２記載の組成物。
【請求項８８】
さらに該組成物との緊密な混合物で水を含む、請求項１記載の組成物。
【請求項８９】
さらに該組成物との緊密な混合物で水を含む、請求項２記載の組成物。
【請求項９０】
緊密な混合物で、下記の吸収性の成分１および２、ならびに、任意の成分３、４、５、６および７の何も含まないか、１個またはそれ以上のいずれかを含む身体吸収性の、機械的止血性パテ組成物：
成分１. カルボン酸アニオンと金属カチオンを含む、吸収性の、微粉末、カルボン酸塩を、下記との緊密な混合物として
成分２. トコフェロール、トコフェロールのＣ２−Ｃ１０脂肪族モノカルボン酸エステル、トコフェロールのポリカルボン酸エステルおよびそれらの混合物から成る群から選択されるメンバーを含む、吸収性の組成物、
および成分２が室温で固体形のとき、成分２のための任意の吸収性の、生体適合性液化剤、
成分３. 任意の脱塩骨基質(ＤＢＭ)、
成分４. 任意の吸収性の抗感染剤、
成分５. 任意の吸収性の吸収促進剤、
成分６. 任意の吸収性の着色剤、
成分７. 任意の量の水(ここで、成分１および２、および存在し得る全ての任意の成分の量は、環境温度で機械的止血性、パテ様粘稠度を形成するのに十分である)。
【請求項９１】
さらにＤＢＭ(成分３)および抗感染剤(成分４)の一方または両方を含む(該ＤＢＭは、骨生長誘発有効量であり、該抗感染剤は薬学的有効量である)、請求項９０記載の組成物。
【請求項９２】
該ＤＢＭを含む、請求項９１記載の組成物。
【請求項９３】
該組成物が無菌である、請求項９０記載の組成物。
【請求項９４】
成分１および成分２に加えて、吸収促進剤(成分５)および着色剤(成分６)の一方または両方を含む、請求項９１記載の組成物。
【請求項９５】
成分２がトコフェロール、その酢酸エステル、酪酸エステル、カプロン酸エステル、カプリル酸エステル、カプリン酸エステルおよび中断同族体エステル、およびそのコハク酸エステル、クエン酸エステルまたはリンゴ酸エステルから成る群から選択されるメンバーを含む、請求項９０記載の組成物。
【請求項９６】
成分２がトコフェロール、酢酸トコフェリルまたはコハク酸トコフェリルを含む、請求項９５記載の組成物。
【請求項９７】
成分２が酢酸トコフェリルを含む、請求項９６記載の組成物。
【請求項９８】
成分１のカルボン酸アニオンが約６個から２２個の炭素原子を含む飽和または不飽和カルボン酸から選択される、請求項９３記載の組成物。
【請求項９９】
成分１のカルボン酸塩カチオンがカルシウム、マグネシウム、亜鉛、アルミニウム、リチウム、またはバリウムまたはそれらの混合物である、請求項９８記載の組成物。
【請求項１００】
成分１のカルボン酸アニオンが、カプリル酸、カプリン酸、ラウリン酸、ミリスチン酸、パルミチン酸、ステアリン酸、アラキジン酸、およびそれらの中断同族体から選択される脂肪族酸を含む、請求項９９記載の組成物。
【請求項１０１】
成分１のカルボン酸アニオンがステアリン酸である、請求項１００記載の組成物。
【請求項１０２】
成分１のカルボン酸アニオンがパルミチン酸である、請求項１００記載の組成物。
【請求項１０３】
成分１のカルボン酸塩カチオンがカルシウムである、請求項１０１記載の組成物。
【請求項１０４】
成分１のカルボン酸塩カチオンがアルミニウムである、請求項１０２記載の組成物。
【請求項１０５】
成分２がトコフェロール、その酢酸エステル、酪酸エステル、カプロン酸エステル、カプリル酸エステル、カプリン酸エステルおよび中断同族体エステル、およびそのコハク酸エステル、クエン酸エステルまたはリンゴ酸エステルから成る群から選択されるメンバーを含む、請求項１０３記載の組成物。
【請求項１０６】
成分２が酢酸トコフェリルを含む、請求項１０５記載の組成物。
【請求項１０７】
成分５がゼラチン、レシチン、ベタイン、オクチルフェニルエトキシレート、ポリビニルピロリドン、吸収性の五酸化リン製ガラスまたは、エチレンオキシドとプロピレンオキシドのブロックコポリマーを含む、請求項９４記載の組成物。
【請求項１０８】
該組成物が無菌である、請求項９０記載の組成物。
【請求項１０９】
該組成物が無菌である、請求項９１記載の組成物。
【請求項１１０】
成分２がトコフェロール、その酢酸エステル、酪酸エステル、カプロン酸エステル、カプリル酸エステル、カプリン酸エステルおよび中断同族体エステル、およびそのコハク酸エステル、クエン酸エステルまたはリンゴ酸エステルから成る群から選択されるメンバーを含む、請求項９１記載の組成物。
【請求項１１１】
成分２がトコフェロール、酢酸トコフェリルまたはコハク酸トコフェリルを含む、請求項１１０記載の組成物。
【請求項１１２】
成分２が酢酸トコフェリルを含む、請求項１１１記載の組成物。
【請求項１１３】
成分１のカルボン酸アニオンが約６個から２２個の炭素原子を含む飽和または不飽和カルボン酸から選択される、請求項１１０記載の組成物。
【請求項１１４】
成分１のカルボン酸塩カチオンがカルシウム、マグネシウム、亜鉛、アルミニウム、リチウム、またはバリウムまたはそれらの混合物である、請求項１１３記載の組成物。
【請求項１１５】
成分１のカルボン酸アニオンが、カプリル酸、カプリン酸、ラウリン酸、ミリスチン酸、パルミチン酸、ステアリン酸、アラキジン酸、およびそれらの中断同族体から選択される脂肪族酸である、請求項１１４記載の組成物。
【請求項１１６】
成分１のカルボン酸アニオンがステアリン酸である、請求項１１５記載の組成物。
【請求項１１７】
成分１のカルボン酸アニオンがパルミチン酸である、請求項１１５記載の組成物。
【請求項１１８】
成分１のカルボン酸塩カチオンがカルシウムである、請求項１１６記載の組成物。
【請求項１１９】
成分１のカルボン酸塩カチオンがアルミニウムである、請求項１１７記載の組成物。
【請求項１２０】
成分１がステアリン酸カルシウムを含み、成分２が酢酸トコフェリルを含み、任意の成分３が、存在するとき骨生長誘発有効量のＤＢＭを含み、そして任意の成分４、抗感染剤が存在するとき、薬学的有効量で存在する、請求項９０記載の組成物。
【請求項１２１】
ＤＢＭが存在する、請求項１２０記載の組成物。
【請求項１２２】
抗感染剤が存在する、請求項１２０記載の組成物。
【請求項１２３】
抗感染剤が存在する、請求項１２１記載の組成物。
【請求項１２４】
該組成物が無菌である、請求項１２０記載の組成物。
【請求項１２５】
該組成物が無菌である、請求項１２１記載の組成物。
【請求項１２６】
さらに該組成物との緊密な混合物で水を含む、請求項９０記載の組成物。
【請求項１２７】
さらに該組成物との緊密な混合物で水を含む、請求項９１記載の組成物。
【請求項１２８】
(ｉ)生体適合性脂肪酸塩単独または該脂肪酸塩と任意の生体適合性インビボ吸収促進剤の混合物のいずれかを含む、成分(Ａ)および
(ii)ヒマシ油、ゴマ油、アーモンド油、綿実油、コーン油、オリーブ油、タラ肝油、ベニバナ油、およびダイズ油、エチレンオキシド／プロピレンオキシドブロックコポリマー、ポリエチレングリコールおよびメトキシポリエチレングリコール、トリグリセリドおよび脂肪酸エステルから成る群から選択される身体吸収性の生体適合性基剤を含む、成分(Ｂ)、および
(iii)任意の量の水
を含む吸収性の組成物であって、
該脂肪酸塩のカチオンがカルシウム、マグネシウム、亜鉛、アルミニウム、リチウムおよびバリウムから成る群から選択され、脂肪酸アニオンが飽和または不飽和であり、かつ鎖中に１０から２２個の炭素原子を含み、該組成物に付与された改善は、該組成物との緊密な混合物として、成分Ｃとして脱塩骨基質を包含させることによる骨誘発特性であり、該成分Ｃは、該成分ＡおよびＢ、該任意の吸収促進剤の存在下、骨生長誘発物質として有効な十分な平均粒子サイズおよび量であり、そして該成分ＡおよびＢ、該任意の吸収促進剤、該任意の水、および該成分Ｃは、パテ様粘稠度を有する組成物を産生するのに、混合物中互いに十分な量である、組成物。
【請求項１２９】
成分Ｃが、約０.１mmから約２mmの平均粒子サイズの脱塩骨基質である、請求項１２８記載の組成物。
【請求項１３０】
脂肪酸塩がステアリン酸カルシウム、パルミチン酸カルシウム、ミリスチン酸カルシウム、またはラウリン酸カルシウムを含む、請求項１２９記載の組成物。
【請求項１３１】
脂肪酸エステルがヒマシ油を含む、請求項１２９記載の組成物。
【請求項１３２】
脂肪酸塩がステアリン酸カルシウム、パルミチン酸カルシウム、ミリスチン酸カルシウム、またはラウリン酸カルシウムを含む、請求項１２８記載の組成物。
【請求項１３３】
脂肪酸エステルがヒマシ油を含む、請求項１２８記載の組成物。
【請求項１３４】
成分Ｂがミリスチン酸イソプロピルを含む、請求項１２８記載の組成物。
【請求項１３５】
成分Ｂがゴマ油を含む、請求項１２８記載の組成物。
【請求項１３６】
成分Ｂがダイズ油を含む、請求項１２８記載の組成物。
【請求項１３７】
成分Ｂがベニバナ油を含む、請求項１２８記載の組成物。
【請求項１３８】
吸収性の着色剤、および吸収性の抗感染剤から成る群から選択される、少なくとも１個の付加的成分を含む、請求項１２８記載の組成物。
【請求項１３９】
成分Ｂがヒマシ油を含む、請求項１３０記載の組成物。
【請求項１４０】
該組成物との混合物で水を含む、請求項１２８記載の組成物。
【請求項１４１】
該組成物が無菌である、請求項１２８記載の組成物。
【請求項１４２】
請求項１記載の組成物を含む包装物であって、該組成物が無定形または一般に丸形または一般に平行六面体形であり、ここで該組成物が無菌バリア包装物中に封入され、かつ無菌または滅菌可能である、包装物。
【請求項１４３】
包装物がプランジャーまたはアプリケーターを含み、該プランジャーまたはアプリケーターに適用される機械的圧力の適用により該組成物が該包装物から放出される、請求項１４２記載の包装物。
【請求項１４４】
包装物が、開放可能出口を有し、そこへの機械的圧力の適用により該組成物が該チューブから放出される、圧搾可能、変形可能チューブを含む、請求項１４２記載の包装物。
【請求項１４５】
該組成物が無菌である、請求項１４２記載の包装物。
【請求項１４６】
請求項９０記載の組成物を含む包装物であって、該組成物が無定形または一般に丸形または一般に平行六面体形であり、ここで該組成物が無菌バリア包装物中に封入され、かつ無菌または滅菌可能である、包装物。
【請求項１４７】
包装物がプランジャーまたはアプリケーターを含み、該プランジャーまたはアプリケーターに適用される機械的圧力の適用により該組成物が該包装物から放出される、請求項１４６記載の包装物。
【請求項１４８】
包装物が、開放可能出口を有し、そこへの機械的圧力の適用により該組成物が該チューブから放出される、圧搾可能、変形可能チューブを含む、請求項１４６記載の包装物。
【請求項１４９】
該組成物が無菌である、請求項１４６記載の包装物。
【請求項１５０】
請求項９１記載の組成物を含む包装物であって、該組成物が無定形または一般に丸形または一般に平行六面体形であり、ここで該組成物が無菌バリア包装物中に封入され、かつ無菌または滅菌可能である、包装物。
【請求項１５１】
包装物がプランジャーまたはアプリケーターを含み、該プランジャーまたはアプリケーターに適用される機械的圧力の適用により該組成物が該包装物から放出される、請求項１５０記載の包装物。
【請求項１５２】
包装物が、開放可能出口を有し、そこへの機械的圧力の適用により該組成物が該チューブから放出される、圧搾可能、変形可能チューブを含む、請求項１５０記載の包装物。
【請求項１５３】
該組成物が無菌である、請求項１５０記載の包装物。
【請求項１５４】
請求項１２８記載の組成物を含む包装物であって、該組成物が無定形または一般に丸形または一般に平行六面体形であり、ここで該組成物が無菌バリア包装物中に封入され、かつ無菌または滅菌可能である、包装物。
【請求項１５５】
包装物がプランジャーまたはアプリケーターを含み、該プランジャーまたはアプリケーターに適用される機械的圧力の適用により該組成物が該包装物から放出される、請求項１５４記載の包装物。
【請求項１５６】
包装物が、開放可能出口を有し、そこへの機械的圧力の適用により該組成物が該チューブから放出される、圧搾可能、変形可能チューブを含む、請求項１５４記載の包装物。
【請求項１５７】
該組成物が無菌である、請求項１５４記載の包装物。
【請求項１５８】
骨の出血を機械的に制御する方法であって、有効量の請求項１記載の組成物を、骨の冒された領域に適用することを含む、方法。
【請求項１５９】
骨の出血を機械的に制御する方法であって、有効量の請求項９０記載の組成物を、骨の冒された領域に適用することを含む、方法。
【請求項１６０】
骨の出血を機械的に制御する方法であって、有効量の請求項１２８記載の組成物を、骨の冒された領域に適用することを含む、方法。
【請求項１６１】
骨欠損における骨の増殖を誘発する方法であって、有効量の請求項３記載の組成物を、骨の冒された領域に適用することを含む、方法。
【請求項１６２】
骨欠損における骨の増殖を誘発する方法であって、有効量の請求項９２記載の組成物を、骨の冒された領域に適用することを含む、方法。
【請求項１６３】
骨欠損における骨の増殖を誘発する方法であって、有効量の請求項１２８記載の組成物を、骨の冒された領域に適用することを含む、方法。
【請求項１６４】
骨中または骨周囲の感染を処置する方法であって、有効量の請求項４記載の組成物を、処置すべき骨の冒された領域に適用することを含む、方法。
【請求項１６５】
骨中または骨周囲の感染を処置する方法であって、有効量の請求項９３記載の組成物を、処置すべき骨の冒された領域に適用することを含む、方法。
【請求項１６６】
骨中または骨周囲の感染を処置する方法であって、有効量の請求項１３８記載の組成物を、処置すべき骨の冒された領域に適用することを含み、かつ該抗感染剤が存在する、方法。
【手続補正２】
【補正対象書類名】明細書
【補正対象項目名】００４４
【補正方法】変更
【補正の内容】
【００４４】
成分２の第２のクラスとして、Ｃ２−Ｃ１８１価アルコーとポリカルボン酸の１個またはそれ以上の吸収性のエステルがある。Ｃ２−Ｃ１８１価アルコールは、エステルの第１のクラスで述べたＣ８−Ｃ１８アルコールに加えて、低級脂肪族、Ｃ２−Ｃ７、アルコール、例えばエタノール、プロパノール、ブタノール、ペンタノール、ヘキサノール、ヘプタノール、およびオクタノールがあり、これらはエチル、プロピル、ブチル、ペンチル、ヘキシル、ヘプチルおよびオクチル部分を産生する。ポリカルボン酸は、マロン酸、コハク酸、グルタル酸、アジピン酸、ピメリン酸、スベリン酸、アゼライン酸、セバシン酸、マレイン酸、フマル酸、グルタコン酸、クエン酸、リンゴ酸、およびエステル化ポリカルボン酸の、もしあればヒドロキシ官能基のエステル、とりわけアセチルクエン酸およびアセチルリンゴ酸から選択される。当業者には、アルコール／酸エステルの多くの組み合わせを上記から選択できるが、１価アルコール／ポリ酸エステルからの本発明での使用に好ましいものは、コハク酸ジエチル、コハク酸ジオクチル、クエン酸トリエチル、クエン酸トリブチルおよび高級およびそれらの低級同族体、アセチルクエン酸トリエチル、クエン酸アセチルトリブチル、クエン酸ブチリルトリエチルならびにそれらの高級および低級同族体、リンゴ酸ジエチル、リンゴ酸ジペンチル、およびリンゴ酸アセチルジエチル、および高級およびそれらの低級同族体であることは明白であろう。
【手続補正３】
【補正対象書類名】明細書
【補正対象項目名】００５０
【補正方法】変更
【補正の内容】
【００５０】
成分２として有用な他のクラスの物質は、ポリヒドロキシ化合物、ポリヒドロキシ化合物エステル、ポリヒドロキシ化合物の溶液、およびそれらの混合物、および脂肪酸エステルから成る群から選択される。これらの中で好ましいのは、非環状多価アルコール、ポリアルキレングリコール、およびそれらの混合物から成る群から選択される液体ポリヒドロキシ化合物である。前記の具体例は、エチレングリコール、ジエチレングリコール、トリエチレングリコール、１,２−プロパンジオール、トリメチルオールエタン、トリメチルオールプロパン、エリスリトール、ペンタエリスリトール、ポリエチレングリコール、グリセロールの脂肪酸モノエステルの液体溶液、例えばモノラウリン酸グリセロールである。前記の中の固体は、適当な溶媒媒体、例えばプロピレングリコール、グリセロール、モノアセチン、ジアセチン、液体ポリエチレングリコールおよびそれらの混合物に溶解または分散し得る。前記のポリヒドロキシ化合物はまた、望むならば、成分５吸収促進剤として使用し得ることは注意すべきである。